(57)【要約】【課題】母親への負担が少なく、安定した体勢での授乳が可能な椅子を提供する。【解決手段】座部１１と背もたれ１２と肘置き１３とを備えた椅子１において、肘置き１３に載置される両腕部２２を有するクッション２０が、着脱自在に設けられている。【選択図】図１
2017018161.tif 000002
【特許請求の範囲】
【請求項１】
座部と背もたれと肘置きとを備えた椅子において、
前記肘置きに載置される両腕部を有するクッションが、着脱自在に設けられている
ことを特徴とする椅子。
【請求項２】
前記背もたれに、使用者の腰部を支える腰サポートクッションが設けられ、
前記クッションは、少なくとも前記両腕部を一部として弧状を形成し、
前記腰サポートクッションに、前記クッションの内周部により形成された凹部が収まる
ことを特徴とする請求項１に記載の椅子。
【請求項３】
前記座部を支持する左右一対の脚部を前後に一対さらに備え、
前側の前記一対の脚部間に足置き部を有する
ことを特徴とする請求項１または請求項２に記載の椅子。
【請求項４】
前記肘置きの、前記背もたれの正面から水平方向の長さが、２００ｍｍ以上３００ｍｍ以下の範囲内である
ことを特徴とする請求項１から請求項３のいずれか１項に記載の椅子。
【請求項５】
前記座部には、中央部に窪みを有する座クッションが設けられている
ことを特徴とする請求項１から請求項４のいずれか１項に記載の椅子。
【発明の詳細な説明】
【技術分野】
【０００１】
本発明は、授乳用の椅子に関する。
【背景技術】
【０００２】
従来から、授乳用の椅子が知られている（例えば、特許文献１参照）。特許文献１に記載の授乳用の椅子は、座部と、背もたれと、肘掛けとを備えている。
【先行技術文献】
【特許文献】
【０００３】
【特許文献１】実用新案登録第３１５８５８８号公報
【発明の概要】
【発明が解決しようとする課題】
【０００４】
しかしながら、従来の授乳用の椅子では、授乳する際、乳児の体重全体を母親の腕で受け止めた状態で、肘掛けに母親の腕を載せることになる。この体勢で長時間授乳するのは、母親の腕に負担が大きくかかってしまう。また、母親に対して乳児の高さが足りないために、母親は前かがみになる必要があり、授乳の体勢が不安定であり、背中や腰に負担が大きくかかってしまう。
【０００５】
本発明は、前述した事情に鑑みてなされたものであって、母親への負担が少なく、安定した体勢での快適な授乳が可能な椅子の提供を目的とする。
【課題を解決するための手段】
【０００６】
（１）座部と背もたれと肘置きとを備えた椅子において、前記肘置きに載置される両腕部を有するクッションが、着脱自在に設けられていることを特徴とする。
【０００７】
ここで、クッションが椅子から着脱可能に設けられているため、授乳時には、椅子から外してクッションの両腕部を椅子の肘置きに載置し、クッションに乳児を載せて授乳することができる。このとき、母親は自分の腕を椅子の肘置き上にクッションを介して載せることができるため、例えば、椅子とは別々に設けられたクッションやタオルなどを利用して乳児の高さを高くすることなく、母親の腕の負担を軽減することができる。
さらに、肘置き上にクッションを載置可能であるため、母親に対する乳児の高さを確保することができる。これにより、前かがみにならずに授乳することができるため、腰や背中への負担を抑えることができる。
また、授乳以外に椅子として使用するときは、椅子にクッションを備え付けることが可能となる。
【０００８】
（２）（１）に記載の椅子において、前記背もたれに、使用者の腰部を支える腰サポートクッションが設けられ、前記クッションは、少なくとも前記両腕部を一部として弧状を形成し、前記腰サポートクッションに、前記クッションの内周部により形成された凹部が収まることを特徴としてもよい。
【０００９】
ここで、授乳以外に椅子として使用するときは、クッションを背もたれに収容することができるので、クッションにより背中を支えることができる。これにより、授乳時以外にも、座り心地の良い椅子として機能する。
【００１０】
（３）（１）または（２）に記載の椅子において、前記座部を支持する左右一対の脚部を前後に一対さらに備え、前側の前記一対の脚部間に足置き部を有することを特徴としてもよい。
【００１１】
ここで、授乳時に、母親に対する乳児の高さが足りない場合は、母親が足置き部に足を載せることで、例えば、つま先立ちをすること等せずに、母親に対する乳児の高さを確保することができる。これにより、前かがみにならずに授乳することができ、母乳の分泌を良好にし易くなる。
【００１２】
（４）（３）に記載の椅子において、前記肘置きの、前記背もたれの正面から水平方向の長さが、２００ｍｍ以上３００ｍｍ以下の範囲内であることを特徴としてもよい。
【００１３】
ここで、背もたれからの肘置きの出っ張りが小さいため、乳児を抱きかかえながら椅子に座ったときに、肘置きに使用者の肘や乳児の頭部がぶつかってしまうのを防止することができる。
【００１４】
（５）（１）または（４）のいずれか一項に記載の椅子において、前記座部には、中央部に窪みを有する座クッションが設けられていることを特徴としてもよい。
【００１５】
ここで、座クッションの中央部に窪みが設けられているため、母親が座った際に、産後の会陰部の痛みを軽減することができる。また、窪んでいることが分かるため、母親が座りやすくなる。また、貫通孔ではなく、窪みであるため見た目に優しく、一見すると、通常の椅子に見えることで見栄えが良く、母親が周囲の目を気にすることなく、例えば食事や休息時などにも使用できる上、授乳者以外でも座りやすくなる。
【発明の効果】
【００１６】
本発明によれば、母親への負担が少なく、安定した体勢で乳児（新生児）への快適な授乳を行うことができる。
【図面の簡単な説明】
【００１７】
【図１】本発明の第１実施形態に係る椅子を正面側から見た斜視図である。
【図２】図１に示す椅子を背面側から見た斜視図である。
【図３】図１に示す椅子に座って授乳する際の状態を示す図である。
【図４】図１に示すクッションの斜視図である。
【図５】（ａ）は図１に示すクッションの別の形態を示す図であり、（ｂ）は（ａ）のクッションを椅子に装着した状態を示す図である。
【図６】図１に示すクッションの別の形態のクッションを椅子に装着した状態を示す図である。
【図７】図１に示すクッションの別の形態のクッションを椅子に装着した状態を示す図である。
【発明を実施するための形態】
【００１８】
［一実施形態］
以下、図１から図４を参照し、本発明の一実施形態に係る椅子について説明する。なお、以下の説明において、前後、左右、上下の各呼称は、座部に着座した使用者が正規姿勢であるときの使用者を基準とした向きである。
本発明に係る椅子１は、図１及び図２に示すように、座部１１と、背もたれ１２と、肘置き１３とを備えている。また、背もたれ１２には、前面に向かって突出した腰サポートクッション１４が設けられている。腰サポートクッション１４は正面視において略円形状である。
また、座部１１には、中央部に窪み１５ａを有する座クッション１５が設けられている。座クッション１５は、貫通孔ではなく窪んでいることが好ましいが、貫通孔が形成されている場合は、カバー等により座クッション１５が覆われていることが好ましい。
【００１９】
椅子１は、図１及び図２に示すように、座部１１を支持する左右一対の脚部１６，１７を前後に一対さらに備えている。前側の一対の脚部１７，１７間には足置き部１８が設けられている。足置き部１８は床面から所定の高さの位置に設けられており、使用者の足が載置可能である。
【００２０】
肘置き１３は、後側の一対の脚部１６，１６の上端にそれぞれ設けられている。肘置き１３は、平面視において前後方向に長い矩形状に形成されていて、肘置き１３の前後両端部は、円弧状に面取りされている。また、肘置き１３の後端が脚部１６の上端に取り付けられており、肘置き１３は脚部１６の前方に突出している。これにより、背もたれ１２と肘置き１３の後端との間には隙間Ｓが設けられている。
また、肘置き１３の、背もたれ１２の正面から水平方向の長さＬ１が、２００ｍｍ以上３００ｍｍ以下の範囲内であることが好ましい。
また、肘置き１３の上面は平坦１３ａに形成されている。
【００２１】
座部１１の高さＨは、図３に示すように、一般的な授乳用の椅子の座部の高さよりも高く構成されている。具体的には、平均的な伸長の女性が座部１１に座り、床面に足を付けた際に、膝Ｋの曲げ角度が９０°以上であることが好ましい。このような高さに座部１１を設定することにより、着座した母親Ｍが乳児Ｂを抱えた状態であっても、立ち上がり易くなる。一方、母親Ｍが座部１１に座り、足を足置き部１８に載せることで、膝Ｋの曲げ角度αが鋭角となる。すなわち、母親Ｍの膝Ｋを、その膝Ｋが前方斜め上方に向けて凸となるように折り曲げさせることができる。
【００２２】
クッション２０は、図４に示すように、保持部２１（中央部）と、保持部２１の両側に設けられた両腕部２２，２２とを備えている。クッション２０は、保持部２１及び両腕部２２，２２により弧状（円弧状）を形成し、クッション２０の内周部２０ａにより凹部２３が形成されている。クッション２０の凹部２３には、使用者の腰を挟み込むことが可能であり、クッション２０の両腕部２２，２２は、保持部２１に対して母親の腰をはさみ込む方向に湾曲している。また、クッション２０は、クッション２０が延びる方向に直交する方向に沿う断面視で、円形状に形成されていて、クッション２０のうち、母親の腰を凹部２３に挟み込んだときに上下を向く面である表面２０ｂは両面とも、前述の断面視で外側に向けて凸となるように湾曲している。また、クッション２０の厚みは全体的に均一である。
【００２３】
クッション２０は、椅子１に対して着脱可能である。具体的には、腰サポートクッション１４の上部の湾曲部にクッション２０の凹部２３が収まるように、腰サポートクッション１４が形成されている。これにより、腰サポートクッション１４と背もたれ１２と隙間Ｓとにより、椅子１にクッション２０が収納可能となっている。
また、授乳用として椅子１を使用するときは、図２に示すように、椅子１の肘置き１３にクッション２０の両腕部２２,２２を載置すること可能である。図３に示す授乳時において、クッション２０の保持部２１が母親Ｍの太ももＦ上あたりに接触する。すなわち、左右の肘置き１３及び母親の太ももＦでクッション２０を保持可能である。
すなわち、授乳用に椅子１を使用する場合は、左右の肘置き１３にクッション２０を載せ、授乳以外、例えば、使用者が食事や休息用に椅子１を使用する場合は、クッション２０の凹部２３を腰サポートクッション１４に嵌めることできる。
【００２４】
次に、本発明に係る椅子１の使用方法について説明する。
母親Ｍは授乳する場合、図１に示すように、背もたれ１２の一部として椅子１に収容されたクッション２０を取り外す。そして、図３に示すように、母親Ｍが乳児Ｂを抱えながら、座クッション１５に座り、椅子１の左右の肘置き１３で同時に支えるようにクッション２０を置き、クッション２０の凹部２３を腰に嵌める。あるいは、母親Ｍが立っている状態で、クッション２０の凹部２３を腰に嵌めて、椅子１に座る。
このとき、乳児Ｂと母親Ｍとの距離がある場合（母親Ｍが前かがみにならないと授乳できない場合、母親Ｍに対して乳児Ｂの高さが足りない場合）、母親Ｍは足置き部１８に足を載せる。母親Ｍの膝Ｋが前方斜め上方に向けて凸となるように折り曲がるので、クッション２０が上に持ち上がり、乳児Ｂと母親Ｍとの距離が近くなる。これにより、背筋を伸ばした状態で授乳することができ、母乳の分泌を良好にし易くすることができる。
またこのとき、乳児Ｂは主にクッション２０の保持部２１上で支持される。ここでクッション２０の保持部２１が、肘置き１３よりも前方に位置しているので、例えば、母親Ｍが乳児Ｂの位置を保持部２１上で変更したとしても、乳児Ｂの頭部が肘置き１３に衝突し難くなっている。
【００２５】
授乳後は、乳児Ｂを抱えながら立ち上がり、クッション２０の凹部２３を腰サポートクッション１４の上部に嵌める。このとき、肘置き１３を支えとして立ち上がるのに利用してもよい。その後、乳児Ｂが寝てしまった場合は、母親Ｍは乳児Ｂを抱きながら椅子１に寄り掛ることができる。このとき、クッション２０が背もたれ１２の一部として機能するため、ソファのように座り心地のよい椅子となる。また、母親単独で、食事や休息用の椅子として使用することができる。
【００２６】
本発明に係る椅子１によれば、クッション２０が椅子１から着脱可能に設けられているため、授乳時には、椅子１からクッション２０を外して、クッション２０の両腕部２２を椅子１の肘置き１３に載置し、クッション２０に乳児を載せて快適に授乳することができる。このとき、母親Ｍは自分の腕を椅子１の肘置き１３上にクッション２０を介して載せているため、椅子とは別に設けられたクッションやタオルなどを利用することなく、長時間に及ぶ授乳による腕の負担（腱鞘炎）を予防することができる。
さらに、肘置き１３上にクッション２０を載置することができるため、母親Ｍに対して乳児Ｂの高さを上げることができる。これにより、前かがみにならずに授乳することができるため、背中や腰に負担をかけることがない。
また、授乳以外に椅子として使用するときは、椅子１の背もたれにクッション２０を備え付けることができる。
【００２７】
また、腰サポートクッション１４に、クッション２０の内周部により形成された凹部 ２３が収まるため、授乳以外に椅子として使用するときは、クッション２０を背もたれ１２に収容することができるので、クッション２０が背もたれ１２の一部として背中を支えることができる。これにより、授乳時以外にも、座り心地の良い椅子として機能する。
【００２８】
また、母親Ｍに対して乳児Ｂの高さが足りない場合、従来では、乳児Ｂと母親Ｍとを近づけるために、つま先立ちや前かがみになったり、乳児とクッションとの間にタオル等を敷き詰めて乳児の高さを調整する等の作業を行っていた。つま先立ちを行うと疲れやすく、また、前かがみになると、背中や腰に負担がかかるとともに、母乳の分泌が悪くなっていた。しかしながら、本実施形態に係る椅子１の足置き部１８に母親Ｍの足を載せることで、つま先立ちや前かがみにならず、また、タオル等を敷き詰めることなく、授乳することが可能となる。これにより、足置き部１８に足を載せるだけで、背筋を伸ばした状態で授乳できるため、母乳の分泌が良く、背中や腰への負担も軽減することができる。
【００２９】
また、背もたれ１２からの肘置き１３の出っ張りが小さいため、乳児Ｂを抱きかかえながら椅子１に座ったときに、肘置き１３に母親Ｍの肘や乳児Ｂの頭部がぶつかってしまうのを防止することができる。
また、上述した従来の椅子では、座部の中央部には貫通孔が形成され、この貫通孔が、貫通孔の形状に合致するマットで塞がれている。そして、授乳の際にマットを外すことで、産後の痛みの影響を抑えているが、授乳の度に中腰になって母親がマットを外すのは、体に負担がかかる。その他、通常の授乳用の椅子は穴が開いたままであるであるため、一見して、授乳用の椅子であることが分かるため、授乳者以外は座りにくい。
しかしながら、本発明に係る椅子１では、座クッション１５に窪み１５ａが設けられているため、産後の会陰部の痛みを軽減することができつつ、一見すると、通常の椅子に見えることで、見た目に優しく、母親が周囲の目を気にすることなく、例えば、食事や休憩時などにも使用することができる上、授乳者以外でも座りやすくなる。
さらには、窪み１５ａは貫通孔に比べて母親の不安感や他人に見られた際の抵抗感を和らげることができる。
【００３０】
なお、クッション２０の形状は上述した形状に限定されない。
例えば、図５（ａ）及び図５（ｂ）に示すように、略直線状のクッション３０であって、その延びる方向に交差する方向に変形容易に形成されたクッション３０（例えば、いわゆるビーズクッション等）の先端部同士（両腕部２２同士）を留めて円弧状にするクッション３０を採用してもよい。
また図６に示すように、Ｖ字状に屈曲し、両直線部分の先端部が両腕部２２とされたクッション４０を採用してもよい。
さらに図７に示すように、直線状に延びる保持部２１の両端部からそれぞれ、同一方向に直線状の両腕部２２を延ばしたような、全体としてコ字状に屈曲しているクッション５０であってもよい。
つまり、クッションとして、少なくとも両腕部を一部として弧状を形成する形態を採用することが可能であり、肘置き部に載置される両腕部を有する他の形態に適宜変更することができる。
また、クッション２０は、座部１１または背もたれ１２に対して着脱可能であることが好ましいが、椅子１に対して着脱可能であれば、特に限定されない。
また、クッション２０の表面２０ｂは両面とも湾曲した形状としたが、一方の面が湾曲せずに、平面状であってもよい。これにより、背もたれ１２が平面状である場合、背もたれ１２に収納する際、背もたれ１２にフィットして収納することができる。
また、隙間Ｓを設けたが、後側の脚部１６，１６の位置によっては、隙間Ｓを設けなくてもよい。
また、肘置き１３には、哺乳瓶や使用者の飲み物を載置可能な飲み物フォルダーが設けられていてもよい。
また、上記実施形態では、母親Ｍによる母乳の授乳時における椅子１の利用について説明したが、これに限られず、母親が人工乳を利用して授乳するときに椅子１を利用することも可能である。
【００３１】
以上、本発明の好ましい実施形態を説明したが、本発明はこれら実施形態に限定されることはない。本発明の趣旨を逸脱しない範囲で、構成の付加、省略、置換、およびその他の変更が可能である。本発明は前述した説明によって限定されることはなく、添付のクレームの範囲によってのみ限定される。
【符号の説明】
【００３２】
Ｌ１  長さ
１  椅子
１１  座部
１２  背もたれ
１３  肘置き
１４  腰サポートクッション
１５  座クッション
１５ａ  窪み
１７  前側の一対の脚部
１８  足置き部
２０  クッション
２１  保持部
２２  両腕部
【図１】
2017018161.tif 000003
【図２】
2017018161.tif 000004
【図３】
2017018161.tif 000005
【図４】
2017018161.tif 000006
【図５】
2017018161.tif 000007
【図６】
2017018161.tif 000008
【図７】
2017018161.tif 000009